(57)【要約】  【課題】  像担持体上に形成したトナー像を中間転写体を介して用紙へと転写する方式のカラー画像形成装置において、良好な二次転写性を維持することができ、且つ、用紙の裏面汚れの発生を防止することができる画像形成装置を提供する。  【解決手段】  転写前ガイド１２は、長手方向両側面に設けられた揺動軸１２ａによって搬送ユニット３０に揺動可能に支持され、その両側縁に形成された突起１２ｂを対向する搬送ガイド３２に当接させることにより、転写前ガイド１２の先端と中間転写ベルト１６との間隔が所定の間隔に保持されるようになっている。また、転写前ガイド１２の先端縁には、キャリブレーション時に中間転写ベルト１６上に形成されるパッチ画像形成位置に合わせて切欠き部１２ｃが設けられている。【選択図】      図３
2008026533.tif 000002
【特許請求の範囲】
【請求項１】
静電潜像が形成される像担持体と、該像担持体上に形成された静電潜像を各々異なるトナーにより現像してトナー像を形成する複数の現像器と、前記像担持体上に形成されたトナー像が転写される中間転写体と、前記像担持体上のトナー像を前記中間転写体へと順次転写するための一次転写手段と、前記中間転写体上に転写された複数のトナー像を一括して用紙へと転写するための二次転写手段と、前記中間転写体と前記二次転写手段が形成する二次転写位置へと用紙を案内する転写前ガイドと、を備えた画像形成装置において、
前記転写前ガイドの用紙搬送方向下流側の先端縁には、キャリブレーション時に前記中間転写体上に形成されるパッチ画像の形成位置に合わせて、切欠き部が設けられていることを特徴とする画像形成装置。
【請求項２】
前記転写前ガイドは、非導電性樹脂から形成されていることを特徴とする請求項１に記載の画像形成装置。
【請求項３】
前記転写前ガイドには、搬送される用紙と接触する部分に導電性部材が付設されていることを特徴とする請求項２に記載の画像形成装置。
【発明の詳細な説明】
【技術分野】
【０００１】
本発明は、電子写真方式を用いた複写機及びプリンタ等のカラー画像形成装置に関するものであり、特に像担持体上に形成したトナー像を中間転写体を介して用紙へと転写する方式のカラー画像形成装置に関するものである。
【背景技術】
【０００２】
従来、電子写真方式を用いた複写機及びプリンタ等のカラー画像形成装置において、感光体ドラム上に形成されたシアン、マゼンタ、イエロー及びブラックのトナー像を、一旦用紙以外の中間転写体上へ重ね合わせて順次転写（一次転写）して中間転写体上にカラートナー像を形成し、最後に中間転写体上に形成されたカラートナー像を一括して用紙へと二次転写することにより、カラー画像を形成するように構成されたものがある。
【０００３】
このように構成された画像形成装置においては、一般的に画像濃度等のキャリブレーションを行う際には、中間転写体上に各色ごとの補正用パッチ画像を形成し、これらの各色の補正用パッチ画像を検知手段によって検出して、その検出結果に応じて現像バイアス等の画像形成条件を補正するようになっている（例えば、特許文献１参照）。なお、キャリブレーション時に用紙は通紙されておらず、中間転写体上に形成された補正用パッチ画像は、補正終了後に所定のクリーニング方法によって除去され、キャリブレーションが終了する。
【０００４】
ところで、電子写真方式において用紙にトナー像を転写する二次転写工程は、用紙上に形成される画像の良否を決定する重要な工程であり、最適な画像形成を行うためには所定の二次転写位置に対して適正に用紙を搬送する必要がある。そこで、レジストローラ対から二次転写位置へと搬送される用紙をより良好な位置に導くために、二次転写位置の上流に用紙をガイドする転写前ガイドを配置することにより、高い二次転写性能を確保した画像形成装置が知られている（例えば、特許文献２参照）。
【特許文献１】特開２００６−１７９１１号公報
【特許文献２】特開２００１−１５９８３６号広報
【発明の開示】
【発明が解決しようとする課題】
【０００５】
しかしながら、搬送される用紙を二次転写位置のより良好な位置へと導くためには、上記の転写前ガイドの先端と中間転写体間のギャップを０．５ｍｍ程度に設定しておくことが望ましいが、このように、転写前ガイドの先端と中間転写体との距離が小さくなると、上述したキャリブレーション時において中間転写体上に形成された補正用画像パッチのトナーが転写前ガイドに転移してしまうことがあり、かかる場合、画像形成動作時に搬送される用紙の裏面にトナーが付着してしまい用紙の裏面汚れが発生していた。
【０００６】
本発明においては上述の事情に鑑み、像担持体上に形成したトナー像を中間転写体を介して用紙へと転写する方式のカラー画像形成装置において、良好な二次転写性を維持することができ、且つ、用紙の裏面汚れの発生を防止することができる画像形成装置を提供することを目的とする。
【課題を解決するための手段】
【０００７】
上記目的を達成するために本発明は、静電潜像が形成される像担持体と、該像担持体上に形成された静電潜像を各々異なるトナーにより現像してトナー像を形成する複数の現像器と、前記像担持体上に形成されたトナー像が転写される中間転写体と、前記像担持体上のトナー像を前記中間転写体へと順次転写するための一次転写手段と、前記中間転写体上に転写された複数のトナー像を一括して用紙へと転写するための二次転写手段と、前記中間転写体と前記二次転写手段が形成する二次転写位置へと用紙を案内する転写前ガイドと、を備えた画像形成装置において、前記転写前ガイドの用紙搬送方向下流側の先端縁には、キャリブレーション時に前記中間転写体上に形成されるパッチ画像の形成位置に合わせて、切欠き部が設けられていることを特徴としている。
【０００８】
また本発明は、前記転写前ガイドは、非導電性樹脂から形成されていることを特徴としている。
【０００９】
また本発明は、前記転写前ガイドには、搬送される用紙と接触する部分に導電性部材が付設されていることを特徴としている。
【発明の効果】
【００１０】
本発明の第１の構成によれば、転写前ガイドの用紙搬送方向下流側の先端縁にパッチ画像形成位置に合わせて切欠き部を設けることにより、パッチ画像形成位置においては転写前ガイドの先端と中間転写ベルトとの間隔が比較的大きくなるため、キャリブレーション時において、パッチ画像のトナーが転写前ガイドへと転移することが防止され、これにより、画像形成動作時において、搬送される用紙の裏面にトナーが付着してしまい用紙の裏面が汚れることが防止することができる。
【００１１】
また、本発明の第２の構成によれば、上記第１の構成の画像形成装置において、転写前ガイドを非導電性の樹脂から形成することにより、転写ローラに印加される転写バイアスが、転写前ガイドを伝って画像形成装置内の他の部材へと流れてしまうことがなく、二次転写位置において転写不良が生じることを防止することができる。
【００１２】
また、本発明の第３の構成によれば、上記第２の構成の画像形成装置において、転写前ガイドの搬送される用紙と接触する部分に導電性部材を付設することにより、転写前ガイドが搬送される用紙と擦れ合っても帯電することがなく、転写前ガイドに用紙が吸着し紙詰まりを生じたり、用紙にトナー像を転写する際にトナー像が乱れ画像形成不良を生じたりすることを防止することができる。
【発明を実施するための最良の形態】
【００１３】
以下、図面を参照して本発明の実施形態を説明する。図１は本発明に係る画像形成装置の概略構成図であり、ここでは４ドラムタンデム方式のカラー画像形成装置について示している。図２は図１に示す画像形成装置の二次転写位置周辺を示す拡大概略構成図であり、図３は本発明に係る画像形成装置に備えられた搬送ユニットを用紙搬送面側から見た斜視図であり、図４は搬送ユニットに付設された転写前ガイドの斜視図である。
【００１４】
図１に示すように、画像形成装置１の下部には、積載された用紙束を収容する給紙カセット等の給紙部２が設けられている。この給紙部２の一端部には、積載された用紙Ｐを最上位紙から１枚ずつ給紙するための分離給送手段３が設けられている。そして分離給送手段３の上部には、上方へ延びて本体上面に形成された排出トレイ４に至る用紙搬送路５が形成されている。
【００１５】
そして、この用紙搬送路５に沿って、用紙搬送方向上流から順に、上記分離給送手段３、搬送ローラ６及び搬送ローラ６に圧接され従動回転する搬送コロ７から構成される搬送ローラ対８、駆動ローラ９及び駆動ローラ９に圧接され従動回転する従動ローラ１０から構成されるレジストローラ対１１、転写前ガイド１２、転写ローラ１３、定着ローラ対１４及び排紙ローラ対１５が配置されている。
【００１６】
転写ローラ１３の右側には、中間転写ベルト１６が回転自在に配設されている。中間転写ベルト１６は、駆動ベルトローラ１７と従動ベルトローラ１８とに掛け渡されており、駆動ベルトローラ１７が回転駆動することにより、時計回りに回転されるようになっている。また、駆動ベルトローラ１７は中間転写ベルト１６を介して上記転写ローラ１３と当接しており、この当接部が二次転写位置となっている。なお、中間転写ベルト１６には誘電体樹脂製のシートが用いられ、その両端部を互いに重ね合わせて接合しエンドレス形状にしたベルトや、継ぎ目を有しない（シームレス）ベルトが好適に用いられる。
【００１７】
中間転写ベルト１６の下方には、回転方向に沿って、図１においては右側から順に、４つの画像形成部２０Ｃ，２０Ｍ，２０Ｙ及び２０Ｋが配設されている。これらの画像形成部２０Ｃ〜２０Ｋは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１８】
これら画像形成部２０Ｃ〜２０Ｋには、各色の可視像（トナー像）を担持する感光体ドラム２１Ｃ，２１Ｍ，２１Ｙ及び２１Ｋが配設されており、回転自在に配設された各感光体ドラム２１Ｃ〜２１Ｋの周囲には、感光体ドラム２１Ｃ〜２１Ｋを帯電させる帯電器２２と、感光体ドラム２１Ｃ〜２１Ｋ上にトナー像を形成する現像ユニット２３と、感光体ドラム２１Ｃ〜２１Ｋ上に残留した現像剤を除去するクリーニング部２４と、中間転写ベルト１６を介して感光体ドラム２１Ｃ〜２１Ｋと当接する中間転写ローラ２５がそれぞれ配置されており、更に感光体ドラム２１Ｃ〜２１Ｋの下方には各感光体ドラム２１Ｃ〜２１Ｋに画像情報を露光する光走査装置２６が配置されている。
【００１９】
続いて、上記のように構成された画像形成装置１による画像形成動作について説明する。ユーザにより画像形成開始が入力されると、先ず、各感光体ドラム２１Ｃ〜２１Ｋが回転駆動されることにより、帯電器２２によって感光体ドラム２１Ｃ〜２１Ｋの表面が一様に帯電される。次いで入力された画像信号に基づいて光走査装置２６によって光ビームが照射され、各感光体ドラム２１Ｃ〜２１Ｋ上に画像信号に応じた静電潜像が形成される。
【００２０】
そして、現像ユニット２３に図示しない補給装置から充填されたシアン、マゼンタ、イエロー及びブラックの各色の現像剤が、感光体ドラム２１Ｃ〜２１Ｋに供給され、静電潜像に応じたトナー像が形成される。中間転写ベルト１６に所定の転写電圧で電界が付与された後、中間転写ローラ２５によって、感光体ドラム２１Ｃ〜２１Ｋ上のシアン、マゼンタ、イエロー、及びブラックのトナー像が中間転写ベルト１６上に転写される。これらの４色の画像は、所定のフルカラー画像形成のために予め定められた所定の位置関係をもって形成される。その後、引き続き行われる新たな静電潜像の形成に備え、感光体ドラム２１Ｃ〜２１Ｋの表面に残留した現像剤はクリーニング部２４により除去される。
【００２１】
また、駆動モータ（図示せず）による駆動ベルトローラ１７の回転に伴い中間転写ベルト１６が時計回りに回転を開始すると、用紙Ｐがレジストローラ対１１から所定のタイミングで中間転写ベルト１６と隣接して設けられた転写ローラ１３とによって構成された二次転写位置へ搬送され、フルカラー画像が用紙Ｐへ転写される。そして、トナー像が転写された用紙Ｐは定着ローラ対１４へと搬送され、定着ローラ対１４により加熱及び加圧されてトナー像が用紙Ｐの表面に定着され、所定のフルカラー画像が形成される。フルカラー画像が形成された用紙Ｐは、排出ローラ対１５によって排出トレイ４に排出される。
【００２２】
ここで、図１において破線で囲む部分は搬送ユニット３０を示すものである。搬送ユニット３０は、前述した搬送コロ７、駆動ローラ９、転写前ガイド１２及び転写ローラ１３がユニット化されたものであり、図３に示すように、両側面下部に回動支点３０ａが設けられており、この回動支点３０ａによって画像形成装置１本体に対して回動可能に支持されている。
【００２３】
この搬送ユニット３０は、図１に示すように、転写ローラ１３が中間転写ベルト１６を介して駆動ベルトローラ１７に当接するように配置される閉鎖状態と、回動支点３０ａを中心に回動して、用紙搬送路５が露出される開放状態とに選択配置することができるよう構成されており、搬送ユニット３０を開放状態へと回動させることによって、用紙ジャムの解消やメンテナンス等を容易に行うことができるようになっている。
【００２４】
また、搬送ユニット３０の両側面上部にはフック部材３０ｂが揺動可能に設けられており、搬送ユニット３０を閉鎖状態へと回動させた際には、このフック部材３０ｂを画像形成装置１本体に設けられた図示しない係合部へと係合させることによって、搬送ユニット３０を閉鎖状態に維持できるようになっている。
【００２５】
搬送ユニット３０の用紙搬送路５側の面の上部及び下部には、用紙搬送路５の一部を構成する搬送ガイド面３１ａ，３１ｂが設けられており、搬送ガイド面３１ｂ内に４つの搬送コロ７が、用紙搬送方向に対して直交する方向に並設されている。また、搬送ガイド面３１ｂの上方且つ搬送ガイド面３１ａの下方に、下から順に駆動ローラ９及び転写ローラ１３が各々に設けられた回転軸９ａ，１３ａによって回転自在に支持されており、これらの駆動ローラ９及び転写ローラ１３は、各回転軸の一端に固着された駆動ギア９ｂ，１３ｂに画像形成装置１本体からの駆動が入力されることによって回転駆動される。
【００２６】
更に、搬送ユニット３０には、駆動ローラ９と転写ローラ１３との間に転写前ガイド１２が配設されている。転写前ガイド１２は、図２に示すように、搬送ユニット３０が閉鎖状態に回動されると、用紙搬送路５を挟んで搬送ガイド３２と対向するように配設されており、これら転写前ガイド１２及び搬送ガイド３２によって、レジストローラ対１１から二次転写位置へと搬送される用紙Ｐをより良好な位置へと導くようになっている。
【００２７】
なお、図４に示すように、転写前ガイド１２には対向する搬送ガイド３２に当接して、転写前ガイド１２の位置決めをする突起１２ｂが長手方向両端縁に一体形成されており、搬送ユニット３０が閉鎖状態に回動されたとき、この突起１２ｂが搬送ガイド３２に当接することにより、転写前ガイド１２の用紙搬送方向下流側の先端と中間転写ベルト１６との間隔が０．５ｍｍ前後に保持されるようになっている。
【００２８】
また、転写前ガイド１２には長手方向両側面に揺動軸１２ａが設けられており、この揺動軸１２ａによって搬送ユニット３０に揺動可能に支持され、転写前ガイド１２の用紙搬送方向下流側が揺動軸１２ａを中心に揺動できるようになっている。これにより、厚紙等の腰の強い用紙が使用された場合には、転写前ガイド１２が揺動することによって、搬送される用紙に過剰な負荷がかかることを防止できるよう構成されている。
【００２９】
なお、搬送ユニット３０には、転写前ガイド１２を搬送ガイド３２側へと付勢する付勢手段（図示しない）が設けられており、厚紙等によって転写前ガイド１２が揺動されて転写前ガイド１２と中間転写ベルト１６との間隔が広げられた場合であっても、厚紙等が完全に通過した後には、この付勢手段によって転写前ガイド１２が、突起１２ｂが搬送ガイド３２に当接する位置まで揺動され、転写前ガイド１２の先端と中間転写ベルト１６との間隔が０．５ｍｍ前後に保持されるようになっている。
【００３０】
なお、転写前ガイド１２を導電性を有する材料で形成した場合には、転写ローラ１３に印加される転写バイアスが、転写前ガイド１２を伝って画像形成装置１内の他の部材へと流れてしまうことがあり、かかる場合、二次転写位置において転写不良を生じることとなり、形成される画像の品質が低下するため、本実施形態においては、転写前ガイド１２は非導電性の樹脂から形成されている。
【００３１】
また、転写前ガイド１２を非導電性の樹脂から形成した場合には、転写前ガイド１２と搬送される用紙Ｐとが擦れ合って静電気を生じて転写前ガイド１２が帯電し、用紙Ｐが転写前ガイド１２に吸着されて紙詰まりを生じたり、用紙Ｐへとトナー像を転写する際にトナー像が乱れて画像不良を生じたりするため、転写前ガイド１２の搬送される用紙Ｐと接触する部分には導電性部材３３が付設されている。なお、導電性部材３３には、例えば導電性ポリエチレンシートを好適に用いることができる。また、導電性部材３３は抵抗体やツェナーダイオード等を介して接地しても構わない。
【００３２】
更に、転写前ガイド１２の用紙搬送方向下流側の先端縁には３つの切欠き部１２ｃが設けられている。これらの切欠き部１２ｃは、深さが１．０ｍｍ前後となるように形成されており、後述する中間転写ベルト１６上のパッチ画像形成位置に合わせて中間転写ベルト１６の幅方向に位置決めされている。
【００３３】
次に、図５及び図６を参照して、上記のように構成された画像形成装置１におけるキャリブレーション動作について説明する。図５はキャリブレーションに用いられる補正用パッチ画像の概略図である。図６は図２に１点鎖線Ａで示す位置における断面図（矢視Ａ−Ａ線断面図）であり、補正用パッチ画像が転写前ガイドと中間転写ベルトとの間を通過している状態を図示している。
【００３４】
上記したようなタンデム式フルカラー画像形成装置の場合には、キャリブレーション時に中間転写ベルト１６上に補正用パッチ画像を形成し、そのトナーの量や位置を検出することによって濃度補正や色ズレ補正を行う。即ち、図１において、各画像形成部２０Ｃ〜２０Ｋにより中間転写ベルト１６上にシアン、マゼンタ、イエロー及びブラックの各色の補正用パッチ画像が形成され、図２に示すように、二次転写位置の上流側に配設された検知手段１９により画像を検知し、濃度及び色ズレ補正を行う。
【００３５】
キャリブレーションが開始されると前述した画像形成過程により感光体ドラム２１Ｃ〜２１Ｋ上にパッチ画像形成用のトナー像が形成される。形成されたトナー像が中間転写ローラ２５により中間転写ベルト１６上の所定位置に転写され、シアン、マゼンタ、イエロー及びブラックの各色のパッチ画像が形成される。
【００３６】
図５に補正用パッチ画像の例を示す。中間転写ベルト１６上の進行方向に向かって中央部に、各色の矩形のパッチ画像が一列に形成されている。感光体ドラム２１Ｍにより形成されるマゼンタ（Ｍ）のパッチ画像は、白ベタ画像（Ｍ１）から、最も濃色の画像（Ｍ５）まで５段階の濃度のパッチ画像Ｍ１〜Ｍ５が進行方向から順に形成される。図から判るように、隣接するパッチ画像Ｍ１及びＭ２は、境界において濃度が変化するようにそれぞれ単色で形成されている。
【００３７】
以下、パッチ画像Ｍ３〜Ｍ５についても同様に形成され、さらにシアン（Ｃ）のパッチ画像Ｃ１〜Ｃ５、イエロー（Ｙ）のパッチ画像Ｙ１〜Ｙ５及びブラック（Ｋ）のパッチ画像Ｋ１〜Ｋ５についてもＭ１〜Ｍ５と同様の構成で形成されている。ここで、図５に示すように、検知手段１９は、中間転写ベルト１６上のパッチ画像形成位置に合わせて中間転写ベルト１６の幅方向に位置決めされている。この検知手段１９により、これらの各パッチ画像の濃度を検知し、予め定められた基準濃度と比較して帯電器２２の現像バイアスや光走査装置２６の露光量を調整することにより、各色について濃度補正が行われる。
【００３８】
また、中間転写ベルト１６上の両端部には、マゼンタ（Ｍ）、シアン（Ｃ）、イエロー（Ｙ）及びブラック（Ｋ）の各色の斜線Ｍ１１，Ｃ１１，Ｙ１１及びＢ１１と、各色の横線Ｍ１２，Ｃ１２，Ｙ１２及びＫ１２からなるパッチ画像が形成されている。これら各色の直線の位置関係を前述の検知手段１９で検知し、予め決められた基準位置と比較して光走査装置２６のタイミングを調整することにより、各色について色ズレ補正が行われる。なお、キャリブレーション時には用紙Ｐは通紙されておらず、補正用パッチ画像は濃度、色ズレ補正が終了した後、二次転写されることなく所定のクリーニング方法により中間転写ベルト１６上から除去され、キャリブレーションが終了する。
【００３９】
ここで、キャリブレーション時には二次転写位置へと用紙Ｐが通紙されていないため、転写前ガイド１２の先端と中間転写ベルト１６との間隔が０．５ｍｍ前後と小さく設定されている場合には、中間転写ベルト１６上に形成された補正用パッチ画像のトナーが転写前ガイド１２に転移してしまうことがあるが、上述したように、転写前ガイド１２の用紙搬送方向下流側の先端縁にパッチ画像形成位置に合わせて、深さ１．０ｍｍの切欠き部１２ｃを設けることにより、パッチ画像形成位置においては転写前ガイド１２の先端と中間転写ベルト１６との間隔が１．５ｍｍと大きくなるため、転写前ガイド１２へのトナーの転移が防止される。
【００４０】
これにより、画像形成動作時において、搬送される用紙Ｐの裏面にトナーが付着してしまい用紙Ｐの裏面が汚れることが防止することができる。また、切欠き部１２ｃはパッチ画像形成位置に合わせて部分的に形成されているため、転写前ガイド１２による用紙Ｐのガイド性は確保されており、二次転写位置での転写性も確保されることとなる。なお、切欠き部１２ｃの設けられる位置及び個数については、パッチ画像形成位置に合わせて適宜変更することが可能である。
【００４１】
その他、本発明は上記実施形態に限定されるものではなく、本発明の趣旨を逸脱しない範囲で種々の変更が可能である。例えば、上記実施形態では、転写前ガイド１２を非導電性の樹脂から形成することにより、転写バイアスが他の部材へと流れることを防止し、転写前ガイド１２の用紙Ｐと接触する部分に導電性部材３３を付設することにより、転写前ガイド１２が帯電することを防止しているが、これは、転写前ガイド１２を、静電気の帯電を防止することができ、且つ、転写バイアスが他の部材へと流れることを防止することができるような体積抵抗値を有する半導電性の樹脂から形成しても構わない。
【００４２】
また、上記実施形態では、中間転写体として無端状のベルトを用いた画像形成装置を用いて説明しているが、これは中間転写ベルトに代えて中間転写ドラムを用いた画像形成装置にも利用することができ、また、フルカラー画像を得るためにイエロー、マゼンタ、シアン及びブラックの４色の現像剤を用いた画像形成装置について説明を行ったが、別の色相の色材を備えた画像形成装置や、色数が異なる画像形成装置にも利用することができる。
【００４３】
更に、上記実施形態では、複数の感光体ドラムと其々の感光体ドラムについて一つの現像器を有する複数の作像ユニットを直列に配置して、時間差で同時的に画像形成を行う、いわゆるタンデム方式を用いた画像形成装置について説明したが、一つの感光体ドラムの周囲に複数の現像装置を固定配置したものや、ロータリー式の現像ユニットを用いて一つの感光体ドラムに対して複数の現像器を選択的に対向させて逐次現像を行うワンドラム方式の画像形成装置にも同様に適用することができる。
【産業上の利用可能性】
【００４４】
本発明は、電子写真方式を用いた複写機及びプリンタ等のカラー画像形成装置に利用することができ、特に像担持体上に形成したトナー像を中間転写体を介して用紙へと転写する方式のカラー画像形成装置に利用することができる。
【図面の簡単な説明】
【００４５】
【図１】は、本発明に係る画像形成装置の概略構成図である。
【図２】は、図１に示す画像形成装置の二次転写位置周辺を示す拡大概略構成図である。
【図３】は、本発明に係る画像形成装置に備えられた搬送ユニットを用紙搬送面側から見た斜視図である。
【図４】は、搬送ユニットに付設された転写前ガイドの斜視図である。
【図５】は、キャリブレーションに用いられる補正用パッチ画像の概略図である。
【図６】は、図２に１点鎖線Ａで示す位置における断面図（矢視Ａ−Ａ線断面図）であり、補正用パッチ画像が転写前ガイドと中間転写ベルトとの間を通過している状態を図示している。
【符号の説明】
【００４６】
１      画像形成装置
６      搬送ローラ
７      搬送コロ
８      搬送ローラ対
９      駆動ローラ
１０    従動ローラ
１１    レジストローラ対
１２    転写前ガイド
１２ａ  揺動軸
１２ｂ  突起
１２ｃ  切欠き部
１３    転写ローラ
１６    中間転写ベルト
１７    駆動ベルトローラ
１８    従動ベルトローラ
１９    検知手段
３０    搬送ユニット
３０ａ  回動支点
３０ｂ  フック部材
３１ａ，３１ｂ  搬送ガイド面
３２    搬送ガイド
３３    導電性部材
Ｐ      用紙
【図１】
2008026533.tif 000003
【図２】
2008026533.tif 000004
【図３】
2008026533.tif 000005
【図４】
2008026533.tif 000006
【図６】
2008026533.tif 000007
【図５】
2008026533.tif 000008